(57)【要約】      （修正有）【課題】扉の開閉方向を簡単に変更することができるボックスを提供する。【解決手段】カラーボックス１は、一対の側板１０、天板２１、棚板２３および底板２５により、前面側が開放した直方体状に形成されたボックス本体３と、ボックス本体３の前面側開放部分を覆って開閉自在に取り付けられる矩形板状の扉４０とから構成され、扉４０が、一対の側板１０のいずれか一方の前端部側を中心として左右に横開閉自在となるようにボックス本体３に取り付け可能で、且つ、棚板２３または底板２５の前端部側を中心として上下に縦開閉自在となるようにボックス本体３に取り付け可能でもあり、扉４０が前面側開放部分を覆って閉止された状態において一対の側板１０の他方の前端部と天板２１または棚板２３の前端部とが交わる部分の近傍に位置して、扉４０を開閉操作する開閉操作部４６が扉４０に設けられている。【選択図】図１
2014136076.tif 000002
【特許請求の範囲】
【請求項１】
上壁面部材、下壁面部材、左壁面部材および右壁面部材により、少なくとも前面側が開
放した直方体状に形成されたボックス本体と、
前記ボックス本体の前面側開放部分を覆って開閉自在に取り付けられる矩形板状の扉と
から構成され、
前記扉が、前記左および右壁面部材のいずれか一方の前端部側を中心として左右に横開
閉自在となるように前記ボックス本体に取り付け可能で、且つ、前記上および下壁面部材
のいずれか一方の前端部側を中心として上下に縦開閉自在となるように前記ボックス本体
に取り付け可能でもあり、
前記扉が前記前面側開放部分を覆って閉止された状態において前記左および右壁面部材
の他方の前端部と前記上および下壁面部材の他方の前端部とが交わる部分の近傍に位置し
て、前記扉を開閉操作する開閉操作構造が前記扉に設けられていることを特徴とするボッ
クス。
【請求項２】
前記開閉操作構造が、前記交わる部分の近傍において前記扉に形成された切り欠き部か
ら構成されることを特徴とする請求項１に記載のボックス。
【請求項３】
前記開閉操作構造が、前記交わる部分の近傍において前記扉に形成された開孔から構成
されることを特徴とする請求項１に記載のボックス。
【請求項４】
前記開閉操作構造が、前記交わる部分の近傍において前記扉に取り付けられた把持構造
から構成されることを特徴とする請求項１に記載のボックス。
【請求項５】
前記扉を横開閉自在とするために前記ボックス本体に設けられた一対の横開閉用枢結孔
と、前記扉を縦開閉自在とするために前記ボックス本体に設けられた一対の縦開閉用枢結
孔と、前記扉に着脱自在に取り付けられるとともに前記横開閉用枢結孔および前記縦開閉
用枢結孔に嵌合して前記扉を横開閉自在および縦開閉自在とする枢結部材とを備えること
を特徴とする請求項１〜４のいずれかに記載のボックス。
【請求項６】
上壁面部材、下壁面部材、左壁面部材および右壁面部材により少なくとも前面側が開放
した直方体状に形成されたボックス本体において、前記ボックス本体の前面側開放部分を
覆って開閉自在に取り付けられる矩形板状の扉であって、
前記左および右壁面部材のいずれか一方の前端部側を中心として左右に横開閉自在とな
るように前記ボックス本体に取り付け可能で、且つ、前記上および下壁面部材のいずれか
一方の前端部側を中心として上下に縦開閉自在となるように前記ボックス本体に取り付け
可能でもあり、
前記前面側開放部分を覆って閉止された状態において前記左および右壁面部材の他方の
前端部と前記上および下壁面部材の他方の前端部とが交わる部分の近傍に位置して、前記
扉を開閉操作する開閉操作構造が設けられていることを特徴とする扉。
【請求項７】
前記開閉操作構造が、前記交わる部分の近傍に形成された切り欠き部から構成されるこ
とを特徴とする請求項６に記載の扉。
【請求項８】
前記開閉操作構造が、前記交わる部分の近傍に形成された開孔から構成されることを特
徴とする請求項６に記載の扉。
【請求項９】
前記開閉操作構造が、前記交わる部分の近傍に取り付けられた把持構造から構成される
ことを特徴とする請求項６に記載の扉。
【発明の詳細な説明】
【技術分野】
【０００１】
本発明は、前面側が開放されたボックス本体と、このボックス本体の前面側開放部分を
覆って開閉自在に取り付けられる扉とから構成されるボックス、およびボックス本体に取
り付けられる扉に関する。
【背景技術】
【０００２】
前面側開放部分に繋がる収納空間を有するボックス（ボックス本体）として、例えば木
材等の小片(パーティクル)を熱圧成形して形成されたパーティクルボードからなるカラー
ボックスが広く知られている。このカラーボックスの収納空間には種々の収納物が収納さ
れるが、前面側開放部分から収納空間内に埃等が入り込むことがある。また、外部から収
納空間内の収納物が見えると雑然とした印象を与えることもある。そこで、収納空間の前
面側開放部分に扉を取り付けたカラーボックスが開発されている。例えば特許文献１には
、扉１に対する随時着脱式丁番２および随時着脱式取手３の取付位置を変更して、扉１の
開閉方向を変更できるカラーボックスが開示されている。
【０００３】
特許文献１の構成について具体的に説明すると、その図１に開示されるように、扉１の
短辺端部に随時着脱式丁番２を取り付けた上で、この短辺と対向する辺の中央部に随時着
脱式取手３を取り付けると、随時着脱式丁番２が取り付けられた短辺端部を揺動中心とし
て扉１が揺動自在なカラーボックスを構成できる。一方、特許文献１の図３に開示される
ように、扉１の長辺端部に随時着脱式丁番２を取り付けた上で、この長辺と対向する辺の
中央部に随時着脱式取手３を取り付けると、随時着脱式丁番２が取り付けられた長辺端部
を揺動中心として扉１が揺動自在なカラーボックスも構成できる。このように、特許文献
１の構成によれば、使用形態に応じて扉の開閉方向を変更できて使い勝手を良くすること
ができる。
【先行技術文献】
【特許文献】
【０００４】
【特許文献１】実開平６−４３１９０号公報
【発明の概要】
【発明が解決しようとする課題】
【０００５】
しかしながら、引用文献１に開示されたカラーボックスにおいては、扉の開閉方向を変
更する毎に丁番に加えて取手も付け替える必要があるため、扉の開閉方向を変更する作業
が煩雑になるという課題があった。
【０００６】
本発明は、上記課題に鑑みてなされたものであり、扉の開閉方向を簡単に変更すること
ができるボックス、およびそれに用いる扉を提供することを目的とする。
【課題を解決するための手段】
【０００７】
上記目的を達成するため、本発明に係るボックス（例えば、実施形態におけるカラーボ
ックス１）は、上壁面部材（例えば、実施形態における天板２１、棚板２３）、下壁面部
材（例えば、実施形態における棚板２３、底板２５）、左壁面部材（例えば、実施形態に
おける側板１０）および右壁面部材（例えば、実施形態における側板１０）により、少な
くとも前面側が開放した直方体状に形成されたボックス本体と、前記ボックス本体の前面
側開放部分を覆って開閉自在に取り付けられる矩形板状の扉とから構成され、前記扉が、
前記左および右壁面部材のいずれか一方の前端部側を中心として左右に横開閉自在となる
ように前記ボックス本体に取り付け可能で、且つ、前記上および下壁面部材のいずれか一
方の前端部側を中心として上下に縦開閉自在となるように前記ボックス本体に取り付け可
能でもあり、前記扉が前記前面側開放部分を覆って閉止された状態において前記左および
右壁面部材の他方の前端部と前記上および下壁面部材の他方の前端部とが交わる部分の近
傍に位置して、前記扉を開閉操作する開閉操作構造（例えば、実施形態における開閉操作
部４６）が前記扉に設けられていることを特徴とする。
【０００８】
上述のボックスにおいて、前記開閉操作構造が、前記交わる部分の近傍において前記扉
に形成された切り欠き部である構成が好ましい。
【０００９】
また、上述のボックスにおいて、前記開閉操作構造が、前記交わる部分の近傍において
前記扉に形成された開孔である構成も好ましい。
【００１０】
さらに、上述のボックスにおいて、前記開閉操作構造が、前記交わる部分の近傍におい
て前記扉に取り付けられた把持構造からなる構成も望ましい。
【００１１】
なお、前記扉を横開閉自在とするために前記ボックス本体に設けられた一対の横開閉用
枢結孔（例えば、実施形態における短辺側ピン受容穴２２、２４、２６）と、前記扉を縦
開閉自在とするために前記ボックス本体に設けられた一対の縦開閉用枢結孔（例えば、実
施形態における長辺側ピン受容穴１１）と、前記扉に着脱自在に取り付けられるとともに
前記横開閉用枢結孔および前記縦開閉用枢結孔に嵌合して前記扉を横開閉自在および縦開
閉自在とする枢結部材（例えば、実施形態における第１枢結ピン６０、第２枢結ピン６５
）とを備える構成が好ましい。
【００１２】
本発明に係る扉は、上壁面部材、下壁面部材、左壁面部材および右壁面部材により少な
くとも前面側が開放した直方体状に形成されたボックス本体において、前記ボックス本体
の前面側開放部分を覆って開閉自在に取り付けられる矩形板状の扉であって、前記左およ
び右壁面部材のいずれか一方の前端部側を中心として左右に横開閉自在となるように前記
ボックス本体に取り付け可能で、且つ、前記上および下壁面部材のいずれか一方の前端部
側を中心として上下に縦開閉自在となるように前記ボックス本体に取り付け可能でもあり
、前記前面側開放部分を覆って閉止された状態において前記左および右壁面部材の他方の
前端部と前記上および下壁面部材の他方の前端部とが交わる部分の近傍に位置して、前記
扉を開閉操作する開閉操作構造が設けられていることを特徴とする。
【００１３】
上述の扉において、前記開閉操作構造が、前記交わる部分の近傍に形成された切り欠き
部である構成が好ましい。
【００１４】
また、上述の扉において、前記開閉操作構造が、前記交わる部分の近傍に形成された開
孔である構成も好ましい。
【００１５】
さらに、上述の扉において、前記開閉操作構造が、前記交わる部分の近傍に取り付けら
れた把持構造からなる構成も望ましい。
【発明の効果】
【００１６】
本発明に係るボックスは、左および右壁面部材の他方の前端部と上および下壁面部材の
他方の前端部とが交わる部分の近傍に位置して、扉を開閉操作する開閉操作構造が扉に設
けられている。このため、扉を左右に横開閉自在となるようにボックス本体に取り付けた
構成であっても、上下に縦開閉自在となるようにボックス本体に取り付けた構成であって
も、扉に設けられた開閉操作構造を操作すれば扉を開閉することができる。よって、扉の
開閉方向を変更する際に、開閉操作構造の位置を変更する必要がないので、扉の開閉方向
を簡単に変更することができる。
【００１７】
上述のボックスにおいて、開閉操作構造が、扉に形成された切り欠き部、開孔および扉
に取り付けられた把持構造からなる構成のいずれかであることが好ましい。これらのうち
のいずれかの構成によれば、扉の隅部に切り欠き部もしくは開孔を形成、または把持構造
を取り付けるという簡単且つ安価な方法でありながら、扉の開閉方向を簡単に変更できる
ボックスを構成可能になる。
【００１８】
なお、扉を横開閉自在とするための一対の横開閉用枢結孔と、扉を縦開閉自在とするた
めの一対の縦開閉用枢結孔と、横開閉用枢結孔および縦開閉用枢結孔に嵌合して扉を横開
閉自在および縦開閉自在とする枢結部材とを備える構成が好ましい。このように構成すれ
ば、横または縦開閉用枢結孔に枢結部材を嵌合させるという簡単な構成により、ボックス
本体に扉を揺動自在に取り付けることができる。
【００１９】
本発明に係る扉は、ボックス本体に取り付けられて閉止された状態において、左および
右壁面部材の他方の前端部と上および下壁面部材の他方の前端部とが交わる部分の近傍に
位置して、扉を開閉操作する開閉操作構造が設けられている。このため、左右に横開閉自
在となるようにボックス本体に取り付けられた場合であっても、上下に縦開閉自在となる
ようにボックス本体に取り付けられた場合であっても、開閉操作構造を操作すれば扉を開
閉することができる。よって、扉の開閉方向を変更する際に、開閉操作構造の位置を変更
する必要がないので、扉の開閉方向を簡単に変更することができる。
【００２０】
上述の扉において、開閉操作構造が切り欠き部、開孔および把持構造のいずれかである
構成が好ましい。これらのうちのいずれかの構成によれば、簡単且つ安価な方法でありな
がら、開閉方向を簡単に変更できる扉を構成可能になる。
【図面の簡単な説明】
【００２１】
【図１】本発明を適用した一例としてのカラーボックスを示す図であって、（ａ）は正面図を、（ｂ）は側面図をそれぞれ示す。
【図２】扉を示す斜視図であって、（ａ）は短辺端部を中心に揺動されるときの構成を、（ｂ）は長辺端部を中心に揺動されるときの構成をそれぞれ示す。
【図３】（ａ）は吸着板の平面図を、（ｂ）は第１枢結ピンの側面図を、（ｃ）は第２枢結ピンの側面図をそれぞれ示す。
【図４】マグネットキャッチャーを示す図であって、（ａ）は正面図を、（ｂ）は平面図を、（ｃ）は側面図をそれぞれ示す。
【図５】カラーボックスの組立手順を説明するための斜視図である。
【図６】短辺端部を中心に扉が揺動自在なカラーボックスの組立構成を示す斜視図であって、（ａ）はカラーボックス全体を、（ｂ）は第２枢結ピンの部分拡大図をそれぞれ示す。
【図７】（ａ）は長辺端部を中心に扉が揺動自在なカラーボックスの組立構成を示す斜視図で、（ｂ）は長辺端部を中心に扉が揺動自在なカラーボックスの正面図である。
【図８】開閉操作部の変形例を示す斜視図であって、（ａ）は直線状に切り欠いた例を、（ｂ）は開孔を設けた例を、（ｃ）は取手を設けた例をそれぞれ示す。
【発明を実施するための形態】
【００２２】
以下、図面を参照しながら、本発明の実施形態について説明する。まず、図１〜図４を
参照しながら、本発明をカラーボックスに適用した例について説明する。なお、以下の実
施形態では、本発明を適用したカラーボックス１について説明するが、本発明はこれに限
定して適用されるものではなく、箱状に形成されて内部に収納空間を有する種々の収納ボ
ックス全般に適用可能である。
【００２３】
図１（ａ）にカラーボックス１を正面から見た図を、図１（ｂ）にカラーボックス１を
側面から見た図をそれぞれ示しており、これらの図から分かるように、カラーボックス１
は、直方体状に形成されて内部に収納空間２を備えるボックス本体３と、ボックス本体３
の前面側端部に取り付けられて収納空間２を覆う扉４０とを有して構成される。
【００２４】
ボックス本体３は、互いに平行に並んだ一対の側板１０と、一対の側板１０間における
上端部に配設された天板２１と、中間部の２ヶ所に配設された２枚の棚板２３と、下端部
に配設された底板２５と、背面側端部に設けられた背板３０とから構成される。側板１０
は矩形平板状に形成されており、前面側端部には各扉４０の取付位置に対応させて３つの
長辺側ピン受容穴１１が上下に並んで形成されている。天板２１、棚板２３、底板２５お
よび背板３０も矩形平板状に形成されている。天板２１の前面側端部には、扉４０の取付
位置に対応した短辺側ピン受容穴２２が形成されている。棚板２３の前面側端部には、扉
４０の取付位置に対応した短辺側ピン受容穴２４が貫通形成されている。底板２５の前面
側端部には、扉４０の取付位置に対応した短辺側ピン受容穴２６が形成されている。
【００２５】
ボックス本体３には、図１（ｂ）に示すように、上段、中段および下段に合計３つの収
納空間２が形成されている。上段の収納空間２は、一対の側板１０と、天板２１と、棚板
２３と、背板３０とにより区画形成される。中段の収納空間２は、一対の側板１０と、２
つの棚板２３と、背板３０とにより区画形成される。下段の収納空間２は、一対の側板１
０と、棚板２３と、底板２５と、背板３０とにより区画形成される。
【００２６】
このようにして区画形成される収納空間２は前面側に開放されているため、前面側から
収納空間２内に埃等が入り込む場合がある。また、外部から収納空間２内の収納物が見え
ると雑然とした印象を与える場合もある。そこで、カラーボックス１は、収納空間２の前
面側端部に扉４０が揺動自在に取り付けられて構成される。図２（ａ）に扉４０の斜視図
を示しており、この図２（ａ）から分かるように、扉４０は、平板状に形成された扉本体
部４１と、扉本体部４１の裏面に取り付けられた吸着板５０と、扉本体部４１の端面に取
り付けられる第１枢結ピン６０と、第２枢結ピン６５とから構成される。扉４０は、扉本
体部４１に対する第１枢結ピン６０および第２枢結ピン６５の取付位置に応じて、短辺端
部４３を揺動中心として揺動自在な構成と、長辺端部４２を揺動中心として揺動自在な構
成とが可能となっている。なお、図２（ａ）には短辺端部４３を揺動中心として揺動され
る扉４０の構成を示し、図２（ｂ）には長辺端部４２を揺動中心として揺動される扉４０
の構成を示している。また、図２では、第１枢結ピン６０および第２枢結ピン６５を拡大
して示している。
【００２７】
扉本体部４１は、収納空間２の前面側開放部分に対応させて略長方形に形成される。扉
本体部４１は、長辺端部４２の両端部に長辺側ピン挿入穴４２ａを備えるとともに、この
長辺端部４２と隣り合う短辺端部４３の両端部に短辺側ピン挿入穴４３ａを備える。これ
ら長辺側ピン挿入穴４２ａおよび短辺側ピン挿入穴４３ａに、第１枢結ピン６０および第
２枢結ピン６５が挿入されて取り付けられる。
【００２８】
後述するように、長辺側ピン挿入穴４２ａに第１枢結ピン６０および第２枢結ピン６５
が取り付けられた上で、扉４０が長辺端部４２を中心として揺動自在にボックス本体３に
取り付けられる場合、この扉４０に効率良く操作力を作用させて開閉するためには、モー
メントが最大となる位置、すなわち、長辺端部４２に対向する対向長辺端部４４上に開閉
操作部を設けることが好ましい。一方で、短辺側ピン挿入穴４３ａに第１枢結ピン６０お
よび第２枢結ピン６５が取り付けられた上で、扉４０が短辺端部４３を中心として揺動自
在にボックス本体３に取り付けられる場合、この扉４０に効率良く操作力を作用させて開
閉するためには、モーメントが最大となる位置、すなわち、短辺端部４３に対向する対向
短辺端部４５上に開閉操作部を設けることが好ましい。そこで、扉４０は、長辺端部４２
を中心として揺動される場合および短辺端部４３を中心として揺動される場合のどちらで
あっても効率良く操作力を作用させて開閉できるように、対向長辺端部４４と対向短辺端
部４５とが交差する部分に、Ｒ状（円弧状）に切り欠いた開閉操作部４６を備える。
【００２９】
図３（ａ）には吸着板５０の平面図を示しており、この図３（ａ）から分かるように吸
着板５０は、磁性材料（例えば鉄等）を用いて矩形平板状に形成される。吸着板５０の中
央部には、取付用孔５１が形成されている。図３（ｂ）には第１枢結ピン６０の側面図を
示しており、この図３（ｂ）から分かるように第１枢結ピン６０は、略円柱状の基部６１
と、基部６１から径方向外側に延びる鍔部６２と、鍔部６２から軸方向に延びるとともに
先端部が半球状に形成された嵌合軸部６３とから構成される。
【００３０】
図３（ｃ）には第２枢結ピン６５の側面図を示しており、この図３（ｃ）から分かるよ
うに第２枢結ピン６５は、略円柱状の基部６６と、基部６６から径方向外側に延びる鍔部
６７と、基部６６に対して軸方向に突出入自在で且つ先端部が半球状に形成された嵌合軸
部６８とから構成される。基部６６には圧縮ばね（図示せず）が内蔵されており、この圧
縮ばねにより嵌合軸部６８が先端側に押圧されている。このため、圧縮ばねの押圧力に抗
して嵌合軸部６８を基部６６側に押圧すると、２点鎖線で示すＰのように、嵌合軸部６８
を基部６６内に入り込ませることができる。
【００３１】
図１に戻り、天板２１および棚板２３の下面には、マグネットキャッチャー５５が取り
付けられている。図４（ａ）〜（ｃ）にはマグネットキャッチャー５５の正面図、平面図
および側面図を示しており、これら図４（ａ）〜（ｃ）から分かるようにマグネットキャ
ッチャー５５は、永久磁石５６と、この永久磁石５６を囲んで収容する収容部５７と、こ
の収容部５７から側方に延びる一対の取付部５８とから構成される。取付部５８には、取
付位置の調整ができるように長穴５８ａが形成されている。このため、扉４０が収納空間
２の前面側を覆って閉止する閉止位置に位置すると、吸着板５０がマグネットキャッチャ
ー５５（永久磁石５６）に磁気吸着され、扉４０が閉止状態に保持される。
【００３２】
以上ここまで、カラーボックス１の構成について説明した。このカラーボックス１は、
上述したように、短辺端部４３を中心に扉４０を揺動させる構成（図２（ａ）参照）と、
長辺端部４２を中心に扉４０を揺動させる構成（図２（ｂ）参照）とが可能になっている
。そこで、以下においては、まず、短辺端部４３を中心に扉４０を揺動させるカラーボッ
クス１の組立構成について、図５および図６を参照しながら説明する。
【００３３】
カラーボックス１は、ボックス本体３と扉４０とを別々に組み立てた後で、ボックス本
体３に扉４０を取り付けて構成される。ボックス本体３は、図５に示すように、天板２１
および棚板２３のそれぞれにマグネットキャッチャー５５を取り付けておき、天板２１、
棚板２３および底板２５の左右両端部に側板１０を、背面側端部に背板３０をそれぞれ取
り付けて組み立てられる。一方、扉４０は、図２（ａ）に示すように、扉本体部４１の短
辺側ピン挿入穴４３ａに第１枢結ピン６０および第２枢結ピン６５が挿入されて取り付け
られるとともに、扉本体部４１の裏面に吸着板５０が取り付けられて組み立てられる。第
１枢結ピン６０および第２枢結ピン６５が扉本体部４１に取り付けられると、基部６１お
よび基部６６が扉本体部４１に嵌め込まれて、嵌合軸部６３が長辺端部４２から突出する
とともに嵌合軸部６８が対向長辺端部４４から突出する。
【００３４】
ここで、短辺端部４３を中心に扉４０が揺動自在なカラーボックス１を構成する場合、
効率良く扉４０に吸着力を作用させて閉止位置に保持するためには、モーメントが最大と
なる位置、すなわち、対向短辺端部４５上に吸着板５０を取り付けることが好ましい。一
方で、長辺端部４２を中心に扉４０が揺動自在なカラーボックス１を構成する場合、効率
良く扉４０に吸着力を作用させて閉止位置に保持するためには、モーメントが最大となる
位置、すなわち、対向長辺端部４４上に吸着板５０を取り付けることが好ましい。そこで
、長辺端部４２を中心として揺動される場合および短辺端部４３を中心として揺動される
場合のどちらであっても、効率良く吸着力を作用させて閉止位置に保持できるように、対
向長辺端部４４と対向短辺端部４５とが交差する部分（開閉操作部４６）の近傍に吸着板
５０を取り付ける。
【００３５】
次に、扉４０を各収納空間２の前面側端部に取り付ける。図６（ａ）には、上段および
中段の収納空間２の前面側端部に扉４０が取り付けられ、下段の収納空間２の前面側端部
に扉４０が取り付けられる状態を示している。例えば下段の収納空間２の前面側端部に扉
４０を取り付けるときには、まず、第１枢結ピン６０の嵌合軸部６３を底板２５の短辺側
ピン受容穴２６に嵌合させる。続いて、図６（ｂ）に示すように、第２枢結ピン６５の嵌
合軸部６８を矢印Ｂの方向に押し込んだ状態で、第１枢結ピン６０の嵌合軸部６３を中心
に扉４０を揺動させて、第２枢結ピン６５の嵌合軸部６８を棚板２３の短辺側ピン受容穴
２４と位置整合させる。第２枢結ピン６５の嵌合軸部６８が棚板２３の短辺側ピン受容穴
２４と位置整合すると、圧縮ばねの押圧力により嵌合軸部６８が押し出されて、嵌合軸部
６８が短辺側ピン受容穴２4に嵌合する。
【００３６】
これにより、扉４０は、図６（ａ）に示すように、第１枢結ピン６０と第２枢結ピン６
５とを繋ぐ軸線Ｃを揺動中心として、矢印Ｄの方向に揺動可能にボックス本体３に取り付
けられる。扉４０を揺動させて収納空間２を閉止させたり収納空間２を前面側に開放させ
る操作は、開閉操作部４６によって形成された隙間に指を差し込んで、開閉操作部４６を
掴んで行うことができる。
【００３７】
以上、短辺端部４３を中心に扉４０を揺動させる場合の組立構成について説明した。次
に、長辺端部４２を中心に扉４０を揺動させる場合の組立構成について、図７を参照しな
がら説明する。なお、ボックス本体３を組み立てる工程は上述の組立構成の場合と同様な
ので、以下では扉４０を組み立てる工程、および扉４０をボックス本体３に取り付ける工
程を中心に説明する。
【００３８】
扉４０は、図２（ｂ）に示すように、扉本体部４１の長辺側ピン挿入穴４２ａに第１枢
結ピン６０および第２枢結ピン６５を挿入して取り付けられるとともに、上述の場合と同
様に、扉本体部４１の裏面における開閉操作部４６の近傍に吸着板５０が取り付けられて
組み立てられる。
【００３９】
次に、扉４０を各収納空間２の前面側端部に取り付ける。図７（ａ）には、紙面右側お
よび中央の収納空間２の前面側端部に扉４０が取り付けられ、紙面左側の収納空間２の前
面側端部に扉４０が取り付けられる状態を示している。例えば紙面左側の収納空間２の前
面側端部に扉４０を取り付けるときには、まず、第１枢結ピン６０の嵌合軸部６３を側板
１０の長辺側ピン受容穴１１に嵌合させる。そして、図６（ｂ）に示すように、第２枢結
ピン６５の嵌合軸部６８を矢印Ｂの方向に押し込んだ状態で、第１枢結ピン６０の嵌合軸
部６３を中心に扉４０を揺動させて、第２枢結ピン６５の嵌合軸部６８を反対側の側板１
０の長辺側ピン受容穴１１と位置整合させる。第２枢結ピン６５の嵌合軸部６８が反対側
の側板１０の長辺側ピン受容穴１１と位置整合すると、圧縮ばねの押圧力により嵌合軸部
６８が押し出されて、嵌合軸部６８が長辺側ピン受容穴１１に嵌合する（図７（ｂ）参照
）。
【００４０】
これにより、扉４０は、図７（ａ）に示すように、第１枢結ピン６０と第２枢結ピン６
５とを繋ぐ軸線Ｅを揺動中心として、矢印Ｆの方向に揺動可能に取り付けられる。扉４０
を揺動させて収納空間２を閉止させたり収納空間２を前面側に開放させる操作は、開閉操
作部４６によって形成された隙間に指を差し込んで、開閉操作部４６を掴んで行うことが
できる。このように、扉４０が長辺端部４２を中心として揺動される構成の場合、図７に
示すように、軸線Ｅが上下方向に向くようにカラーボックス１を配置すれば、扉４０は開
閉時に重力の影響を受けることなく任意の開閉位置に保持されるので使いやすくなる。
【００４１】
以上、長辺端部４２を中心に扉４０を揺動させる場合の組立構成について説明した。例
えば長辺端部４２を中心に揺動自在となるように扉４０を取り付けてカラーボックス１を
構成した後に、カラーボックス１の使用形態が変化して、短辺端部４３を中心に揺動自在
となるように扉４０の開閉方向を変更したい場合があり得る。このような場合、まず、ボ
ックス本体３を分解して扉３を取り外し、長辺側ピン挿入穴４２ａに取り付けられた第１
枢結ピン６０および第２枢結ピン６５を短辺側ピン挿入穴４３ａに付け替える。そして、
この扉４０を上述のようにして収納空間２の前面側端部に取り付けると、短辺端部４３を
中心に揺動自在な扉４０を備えたカラーボックス１を構成できる。このとき、扉４０の開
閉操作部４６は、上述したように長辺端部４２を中心として揺動される場合および短辺端
部４３を中心として揺動される場合のどちらであっても、効率良く操作力を作用させて開
閉できる位置に形成されているので、従来構成のように扉の開閉方向を変更する毎に付け
替える必要がなく、扉の開閉方向を変更する作業が簡単になる。
【００４２】
また、扉４０を閉止位置に保持するための吸着板５０は、上述したように長辺端部４２
を中心として揺動される場合および短辺端部４３を中心として揺動される場合のどちらで
あっても、効率良く吸着力を作用させて閉止位置に保持できる位置に取り付けられている
ので、扉４０の開閉方向を変更する毎に付け替える必要がなく、扉４０の開閉方向を変更
する作業が簡単になる。このように、扉４０の開閉方向を変更する際に、扉４０における
吸着板５０の取付位置を変更しなくて良いので、マグネットキャッチャー５５も取付位置
を変更する必要がなく、このことからも扉４０の開閉方向を変更する作業が簡単になる。
【００４３】
上述の実施形態においては、扉４０を開閉操作するための操作部として、Ｒ状に切り欠
いた開閉操作部４６を例示して説明したが、操作部の他の例として図８（ａ）〜図８（ｃ
）に示す構成でも良い。図８（ａ）は、対向長辺端部４４と対向短辺端部４５とが交差す
る部分に、直線状に切り欠いた開閉操作部１４６を設けた例である。図８（ｂ）は、上記
交差する部分の近傍に、指を挿入可能な開孔２４６を設けた例である。図８（ｃ）は、上
記交差する部分の近傍に、把持可能な取手３４６を設けた例である。これら開閉操作部４
６，１４６，２４６，３４６のいずれによっても、比較的簡単に操作部を構成できる。な
お、取手３４６に代えてつまみ（図示せず）を設けても良い。
【００４４】
上述の実施形態においては、第１枢結ピン６０および第２枢結ピン６５を用いて扉４０
を揺動自在に取り付ける構成を説明したが、第１枢結ピン６０および第２枢結ピン６５に
代えて例えば蝶番を用いることも可能である。
【００４５】
上述の実施形態においては、３つの収納空間２のそれぞれに扉４０を取り付けたカラー
ボックス１に本発明を適用した例について説明したが、この構成に代えて、複数の（例え
ば３つ全ての）収納空間２を１つの扉により覆うカラーボックスにも本発明を適用可能で
ある。
【００４６】
上述の実施形態において、例えば埃等の侵入防止を主目的として扉を設ける場合には、
透明または半透明の材料（ガラスや樹脂等）を用いて扉を形成することも可能である。
【００４７】
上述の実施形態においては、背板３０を備えたカラーボックス１に本発明を適用した例
を説明したが、例えば背板３０を備えずに収納空間２が前面側および背面側に開放されて
構成されたボックスにも、本発明を適用可能である。
【符号の説明】
【００４８】
１    カラーボックス（ボックス）
３    ボックス本体
１０  側板（左壁面部材、右壁面部材）
１１  長辺側ピン受容穴（縦開閉用枢結孔）
２１  天板（上壁面部材）
２２  短辺側ピン受容穴（横開閉用枢結孔）
２３  棚板（上壁面部材、下壁面部材）
２４  短辺側ピン受容穴（横開閉用枢結孔）
２５  底板（下壁面部材）
２６  短辺側ピン受容穴（横開閉用枢結孔）
４０  扉
４６  開閉操作部（開閉操作構造）
６０  第１枢結ピン（枢結部材）
６５  第２枢結ピン（枢結部材）
【図１】
2014136076.tif 000003
【図２】
2014136076.tif 000004
【図３】
2014136076.tif 000005
【図４】
2014136076.tif 000006
【図５】
2014136076.tif 000007
【図６】
2014136076.tif 000008
【図７】
2014136076.tif 000009
【図８】
2014136076.tif 000010